(57)【要約】      （修正有）【課題】きわめて単純な構造で両側開きを実現し、低コストでその製品の大きさ、材質を問わずに製作できる扉等の開閉構造を提供する。【解決手段】筐体に対し左側リンク扉等を回転可能な蝶番等で固定、同時に筐体に対し右側リンク扉等を回転可能な蝶番等で固定し、次に中央リンク式扉等を回転可能な蝶番等で左右それぞれのリンク式扉等に固定することにより、左右のリンク式扉等は中央のリンク式扉等により動作が制限され、左側リンク式扉等は中央リンク式扉等と一体となって開閉し、開閉時に右側リンク式扉等は動かなくなり、一方で、右側リンク式扉等は中央リンク式扉等と一体となって開閉し、開閉時に左側リンク式扉等は動かなくなる。【選択図】図３
0003145918.tif 000002
【実用新案登録請求の範囲】
【請求項１】
筐体の両側に稼動可能なリンク等を伴う扉等を設け、それぞれの扉等を蝶番等で連結した構造を有し、両方共開放可能な構造で尚且つ一方が開放状態にあるとき、他方の扉等の開放が制限される開閉機構。
【請求項２】
前記開閉機構に於いて、開放時に１８０度に近い状態迄回転させる目的、あるいは中央扉等で外観上見えなくする目的で、両側リンク式扉等と中央リンク式扉等を連結する蝶番の結合方法が、両側のリンク式扉等とリンク式扉等が段差状態で連結される構造。
【請求項３】
前記開閉機構に於いて、両側リンク機構を外観上見えなくする目的で、中央扉等で両側リンク機構の上部を被い隠す構造。
【考案の詳細な説明】
【考案の詳細な説明】
【産業上の利用分野】
【０００１】  本考案は携帯電話、文房具、玩具、電子機器、工作機械、工場設備、家具、家電製品、工具箱、自家用車、貨物自動車、建築物、建造物の開閉機構に関する。
【背景技術】
【０００２】  従来、扉の両側を開閉させる機構はその数も少なく、既存の技術では両側ともに回転可能な軸形状の蝶番と、脱落防止のための何らかの機構が必要であった。
その為、脱落防止の機構を開放させたい方向側だけ手動で解除する必要があり、手間がかかった。又、今では一般的となった冷蔵庫の両側開き構造に於いては手動でそのロックを外す必要が無いものの、両側が開くということは扉本体が脱落する危険も内在し、それを防止制限する為に複雑な機構を必要としている。
又、上記構造において、扉が閉状態から開放状態に変わる時、扉の固定は片側のみに頼り、その片側も完全なる保持構造では無いため、扉の自重により若干だが扉自身が下方にずれる構造となっている。
【考案が解決しようとする課題】
【０００３】  そもそも扉の両側を開閉させる為に両側に蝶番を取り付けした場合、扉はそのどちらも開閉が不可能となる。それを解決した従来の冷蔵庫の技術は優れているが、同時に前記の問題を解決させる為に様々な機構を付加する必要があった。しかしそれはコストも高く、又小さなサイズでは機構が入らないし巨大なサイズでは扉が落下する危険も内在する。
本考案はそのいずれも解決するものであり、きわめて単純な構造で両側開きを実現し、低コストでその製品の大きさを問わずに製作が可能となっている。
又、その材質は極めて単純な構造の為、金属、木材、プラスチックなどいずれの材質でも製作が可能となっている。
【課題を解決するための手段】
【０００４】  上記目的を達成する為に、本願請求項１の考案は筐体に対し左側リンク扉等を回転可能な蝶番等で固定、同時に筐体に対し右側リンク扉等を回転可能な蝶番等で固定することから始まる。
この状態では左右どちらのリンク式扉等もなんら制限を受けることなく開閉が可能な状態となっている。
次に中央リンク式扉等を回転可能な蝶番等で左右それぞれのリンク式扉等に固定することにより、左右のリンク式扉等は中央のリンク式扉等により下記のように動作が制限される。
左リンク式扉等と中央リンク式扉等が開放状態にある時、右リンク式扉等は回転中心が同一な必要がある為、右側リンク式扉等は閉状態に制限される。
右リンク式扉等と中央リンク式扉等が開放状態にある時、左リンク式扉等は回転中心が同一な必要がある為、右側リンク式扉等は閉状態に制限される。
【０００５】  本願請求項２の考案は左右のリンク式扉等と中央のリンク式扉等の計３枚の扉を連結する蝶番等はそれぞれの扉の開閉方向側に回転中心を置かないと扉自身の干渉により１８０度回転が不可能となってしまう為、通常は蝶番が外付けとなり、外観形状が悪くなる。
それを解決する為に左右側のリンク式扉等を中央のリンク式扉等より若干引っ込めて取り付けるようにし、それぞれをその状態で連結可能な蝶番等にて固定する。又、同時に中央のリンク式扉等の端末で覆い隠せば外観上見えなくなる。
【０００６】  本願請求項３の考案は左右のリンク式扉等のリンク自身を中央のリンク式扉等の本体で覆い隠し、外観を向上させるものである。
【考案を実施するための最良の形態】
【０００７】  以下本考案にかかわる交差リンク式左右開き扉構造の実施の形態を図面に従って説明する。【０００８】  図１に於いて、この状態は扉等の右側から開放し、筐体ｆの保持部ｄを回転中心として、右側リンク扉等ａと中央リンク扉等ｂが一体となって左方向へ約１８０度回転した状態を示す。【０００９】  図２に於いて、この状態は扉等の左側から開放し、筐体ｆの保持部ｅを回転中心として、左側リンク扉等ｃと中央リンク扉等ｂが一体となって右方向へ約１８０度回転した状態を示す。【００１０】  図３に於いて、右側リンク式扉等ａと中央リンク式扉等ｂは一体となって動き、左側リンク式扉等ｃは中央リンク式扉等ｂと一体となって動くことを示す。
このように中央リンク式扉等ｂによって左右のリンク式扉等ａ，ｃは動作を制限される為、ロック等で固定されなくとも同時に開放されることはない。
又、左右のリンク式扉等は予め筐体ｆの回転中心部ｄ，ｅへ蝶番等で固定されている為、脱落事故は発生することはない。
同時に開状態から閉状態へと移行する際はリンク自身がガイドとなるため、なんら段差をともなうことなく全閉状態へと移行する。【００１１】  図４に於いてこの機構は主に、右側リンク式扉等ａ、中央リンク式扉等ｂ、左側リンク式扉等ｃ、筐体等ｆから構成される。
このように極めて単純な構造の為、本図のような箱型にこだわらず、あらゆる形状の筐体への応用や、使用形態の向き、や左右リンク式扉等の形状や回転中心を筐体の両外側への移動等様々な応用ができうる。【００１２】  図５に於いてこの機構はこのように左側リンク式扉等ｃと中央リンク式扉等ｂをあえて水平にせずに段差状態に保ち、それを蝶番等で連結させることにより、蝶番自身を中央リンク式扉等で覆い隠し、尚且つ１８０度開閉が可能な状態をとることもできうる。【００１３】  図６に於いてこの機構はこのように中央リンク式扉等ｂで筐体等ｆ部の筐体側ガイド等ｊを覆い隠すことができうる。これは同時に左右側リンク式扉等のリンク自身をも覆い隠すことができ、美観の向上に計ることができる。【００１４】  以上本考案の実施の形態について説明してきたが、本考案はこれに限定されることなく請求項の記載の範囲内において各種の変形、変更が可能なことは該当業者には自明であろう。
【考案の効果】
【００１５】  以上説明したように、本考案による開閉機構によれば、筐体の左右に左側リンク扉等と右側リンク扉等を回転可能な蝶番等で固定し、更には中央リンク扉等で左右リンク扉等を回転可能な蝶番等で固定すれば、その動作制限により、左右どちらも開閉可能な扉等がロック機構をあえて有しなくとも成立し、その機構は極めて単純で尚且つ、落下する危険も全く無く、又、左右リンク式扉等と中央リンク式扉等をずらして配置すれば蝶番等を中央リンク扉等で覆い隠し、更には中央扉等で左右リンクそのものを覆い隠せば外観も向上しうることが可能となる。
【図面の簡単な説明】
【図１】本考案に関わる扉等の開閉形態を示す正面図であり、右側リンク扉等と中央リンク式扉等が一体となって開放した状態を示す。
【図２】本考案に関わる実施形態を示し、扉等の開閉形態を示す正面図であり、左側リンク扉等と中央リンク式扉等が一体となって開放した状態を示す。
【図３】本考案に関わる実施形態を示し、扉等の開閉動作説明の為の正面図であり、左右リンク式扉等が中央リンク式扉等により動作制限されることにより成り立つことを示す。
【図４】本考案に関わる実施形態を示し、扉等の組み立て構成図を示す。
【図５】本考案に関わる実施形態の一部を示す断面図であり、左右側リンク扉等と中央リンク式扉等の蝶番等による結合方法を示す。
【図６】本考案に関わる実施形態の一部を示す断面図であり、中央リンク式扉等で筐体側ガイド等を覆い隠す状態を示す。
【符号の説明】
ａ、    右側リンク式扉
ｂ、    中央リンク式扉
ｃ、    左側リンク式扉
ｄ、    筐体側回転中心左
ｅ、    筐体側回転中心右
ｆ、    筐体
ｇ、    中央側リンク式扉蝶番
ｈ、    左右リンク式扉蝶番
ｉ、    筐体側左右蝶番
ｊ、    筐体側ガイド、蝶番兼用
【図１】
0003145918.tif 000003
【図２】
0003145918.tif 000004
【図３】
0003145918.tif 000005
【図４】
0003145918.tif 000006
【図５】
0003145918.tif 000007
【図６】
0003145918.tif 000008
【手続補正書】
【提出日】平成20年7月29日(2008.7.29)
【手続補正１】
【補正対象書類名】実用新案登録請求の範囲
【補正対象項目名】全文
【補正方法】変更
【補正の内容】
【実用新案登録請求の範囲】
【請求項１】
筐体の両側に稼動可能なリンク等を伴う扉等を設け、それぞれの扉等を蝶番等で連結した構造を有し、両方共開放可能な構造で尚且つ一方が開放状態にあるとき、他方の扉等の開放が制限される開閉機構。
【請求項２】
請求項１記載の開閉機構に於いて、開放時に１８０度に近い状態迄回転させる目的、あるいは中央扉等で外観上見えなくする目的で、両側リンク式扉等と中央リンク式扉等を連結する蝶番の結合方法が、両側のリンク式扉等とリンク式扉等が段差状態で連結される構造。
【請求項３】
請求項１記載の開閉機構に於いて、両側リンク機構を外観上見えなくする目的で、中央扉等で両側リンク機構の上部を被い隠す構造。